(57)【要約】【課題】従来とは異なる方法で動きや表情を付けることができるマネキン人形の支持装置を提供する。安価に製作することができ、衣服の着せ替えも簡単に手間取らないで行うことができるものである。【解決手段】マネキン人形を取付けることができる支持部３０と、平面状で自立することができるスタンド部４０とを備え、支持部３０は、上側支持部３１と、下側支持部３２と、角度調整具３３とで構成されると共に、上側支持部３１が下側支持部３２に対して角度調整可能となっている。角度調整部３３はウォームギアを備えるものである。【選択図】図１
2008188217.tif 000002
【特許請求の範囲】
【請求項１】
マネキン人形を取付けることができる支持部と平面上で自立することができるスタンド部とを備えるマネキン人形の支持装置であって、
前記支持部が、上側支持部と、下側支持部と、角度調整具とで構成されると共に、前記上側支持部が、前記下側支持部に対して角度調整可能となっていることを特徴とするマネキン人形の支持装置。
【請求項２】
前記下側支持部の下部が前記スタンド部の上部に挿入され、挿入長さを変えることにより、前記支持部の前記平面からの高さが、調整可能となっていることを特徴とする請求項１に記載のマネキン人形の支持装置。
【請求項３】
前記上側支持部の上部がヘヤピン状に折り返されており、その折り返し部に、前記マネキン人形を取付けるための取付け具が設けられていることを特徴とする請求項１又は２に記載のマネキン人形の支持装置。
【請求項４】
前記角度調整具が、ウォームギアを使用して調整するものであることを特徴とする請求項１乃至３の何れかに記載のマネキン人形の支持装置。
【請求項５】
前記上側支持部の調整可能な前記角度が、前記下側支持部に対して２５度以下であることを特徴とする請求項１乃至４に記載のマネキン人形の支持装置。
【発明の詳細な説明】
【技術分野】
【０００１】
本発明は、マネキン人形を支持するための支持装置に関し、特に、マネキン人形の垂直線に対する角度を微妙に調整することが可能な支持装置に関する。
【背景技術】
【０００２】
マネキン人形は、人の代りに衣服を身に着けて展示されるものである。展示において重要なことは、着せ替えが簡単で手間取らないことである。また、さらに重要なことは、単に衣服を陳列するだけではなく、顧客にそのファッション性をアピールして購買意欲を増進させることである。すなわち、モデルが着用している場合と同様に、生き生きとした動きや表情を感じさせることである。
【０００３】
例えば、従来、図７に示すようなマネキン人形が用いられている。このマネキン人形１１０は支持装置１２０を備えている。支持装置１２０は、マネキン人形１１０に取付けられる支持部１３０と平面状で自立することができるスタンド部１４０とを備え、スタンド部１４０の上端部を支持部１３０の下端部に挿入してマネキン人形１１０の高さを調整し、締具１５０により固定している。
【０００４】
ここで、マネキン人形１１０には、ファッション性を高めるための様々な工夫がなされている。例えば、男性用、女性用、子供用、若者用、壮年用、老人用等の区別により、ボディ、頭部、腕部、脚部等を変化させることができる。また、ボディに対して、頭部、腕部、脚部等の取付け部を可動としたり、腕部や脚部の関節を可動とすることにより、動きや表情を表す工夫がなされている。
【０００５】
その具体例として、特許文献１に記載された発明を挙げることができる。特許文献１には、肩、腕、手首等が屈曲自在に連結されたマネキン人形が記載されている。そして、このように精巧であればあるほど、動きや表情を付け易くなる。しかしながら、同時に、マネキン人形は、精巧であればあるほど高価なものとなる。
【特許文献１】特開２０００−２２５０４６号公報
【発明の開示】
【発明が解決しようとする課題】
【０００６】
本発明の目的は、既に種々の工夫がなされているマネキン人形について、従来とは異なる方法で動きや表情を付けることができるマネキン人形を提供することにある。また、比較的安価に動きや表情を付けることができるマネキン人形を提供することにある。また、衣服の着せ替えが簡単で手間取らないマネキン人形を提供することにある。
【課題を解決するための手段】
【０００７】
本発明者等は、上記の問題を解決するために鋭意研究を続けた結果、マネキン人形自体の工夫ではなくマネキン人形の支持装置を工夫することにより、従来とは違った感じで動きや表情を付けることが可能であることを発見した。しかも、従来と比べて安価に提供できることが分かった。さらに、衣服の着せ替えを簡単にすることにも成功した。
【０００８】
上記の課題を解決するために、本発明の請求項１に係るマネキン人形の支持装置は、マネキン人形を取付けることができる支持部と平面上で自立することができるスタンド部とを備えるマネキン人形の支持装置であって、前記支持部が、上側支持部と、下側支持部と、角度調整具とで構成されると共に、前記上側支持部が、前記下側支持部に対して角度調整可能となっている手段を採用している。
【０００９】
また、本発明の請求項２に係るマネキン人形の支持装置は、請求項１に記載のマネキン人形の支持装置において、前記下側支持部の下部が前記スタンド部の上部に挿入され、挿入長さを変えることにより、前記支持部の前記平面からの高さが、調整可能となっている手段を採用している。また、本発明の請求項３に係るマネキン人形の支持装置は、請求項１又は２に記載のマネキン人形の支持装置において、前記上側支持部の上部がヘヤピン状に折り返されており、その折り返し部に、前記マネキン人形を取付けるための取付け具が設けられている手段を採用している。また、本発明の請求項４に係るマネキン人形の支持装置は、請求項１乃至３の何れかに記載のマネキン人形の支持装置において、前記角度調整具が、ウォームギアを使用して調整するものである手段を採用している。また、本発明の請求項５に係るマネキン人形の支持装置は、請求項１乃至４の何れかに記載のマネキン人形の支持装置において、前記上側支持部の調整可能な前記角度が、前記下側支持部に対して２５度以下である手段を採用している。
【発明の効果】
【００１０】
本発明の支持装置は、上記の手段を採用することにより、従来とは異なる方法で動きや表情を付けることができるマネキン人形を提供することができる。すなわち、マネキン人形に直接動きや表情を付けるのではなく、マネキン人形を支持する支持装置によりマネキン人形の姿勢を調整し、これによって動きや表情を引出すものである。
【００１１】
マネキン人形の姿勢は、支持装置の角度調整具によってのみ調整されるので、その構造は極めて簡単であり、安価に提供することができる。さらに、本発明の支持装置は、上記の手段を採用することにより、衣服の着せ替えが簡単で手間取らないマネキン人形を提供することができる。
【発明を実施するための最良の形態】
【００１２】
以下、添付の図１〜６を参照して、本発明の実施の一例を説明する。本発明の支持装置２０の概略斜視図を図１に、本発明の支持装置２０にマネキン人形１０を取付けた支持装置２０の概略説明図を図２に、角度調整についての説明図を図３に、本発明の支持装置２０の正面図、側面図及び平面図を図４に、本発明の支持装置２０で使用している角度調整具３３の斜視図、正面図、側面図及び平面図を図５に、角度調整具３３の各部品図を図６に示している。
【００１３】
本発明の支持装置２０は、マネキン人形１０を取付けることができる支持部３０と平面上で自立することができるスタンド部４０とを備えている。スタンド部４０は、平板状の支持台４２にポール状の支柱４１を立設したもので、平面上で自立することができる。
【００１４】
支持部３０は、上側支持部３１と、下側支持部３２と、角度調整具３３で構成されている。上側支持部３１は、その上部がヘヤピン状に折り返されており、その折り返し部３４に、マネキン人形１０を取付けるための取付け具３５が設けられている。図において、取付け具３５は、長短２つの突起３５ａ、３５ｂで構成されており、長い方の突起３５ａでマネキン人形１０の荷重を支持し、短い方の突起３５ｂでマネキン人形１０の回転を防止している。ただし、取付け具３５としては、他の型式とすることも可能である。
【００１５】
図２に示すように、上側支持部３１の上部はヘヤピン状に折り返されており、また、折り返し部３４はマネキン人形１０の腰部に接近する構造となっている。このため、本発明の支持装置２０で支持されるマネキン人形１０は、衣類の着せ替えが簡単で手間取らないことになる。すなわち、ズボンやスカートは、マネキン人形１０の下側から履かせることが可能であり、このとき、上側支持部３１のヘヤピンの内側に、ズボンやスカートの一部を入れることにより、自然な感じで着用させることができる。
【００１６】
ブラウスやスーツは、マネキン人形１０の上側から着せることが可能であり、このとき、ブラウスは、マネキン人形１０と折り返し部３４の間に鋏み込んで、スカートの内側に位置させることができる。スーツは、上側支持部３１の外側に位置させることが可能であり、これによりスカート等の外側に位置させることができる。このように、衣類の着せ替えは非常に簡単であり、また、マネキン人形１０に頭部、腕部、脚部等を取付けた場合でも、同様であって、衣類の着せ替えに手間取ることはない。
【００１７】
下側支持部３２は、その下部がスタンド部４０の支柱４１の上部に挿入され、締具４３で固定されるようになっている。したがって、下側支持部３２の挿入する長さを変えることにより、支持部３０の平面からの高さが、調整可能となっている。したがって、マネキン人形は、子供であっても成人であっても使用することができる。
【００１８】
図３に示すように、上側支持部３１は角度調整具３３により、下側支持部３２に対して角度調整を行うことができる。すなわち、マネキン人形１０はスタンド部４０に対して前後に傾斜することができる。これにより、着用される衣類は、マネキン人形１０に最適な状態でフィットさせることが可能であり、マネキン人形１０の微妙な動きや表情が引出されることになる。調整される角度θは、前後に２５度以下であり、通常は１５度以内で充分である。
【００１９】
角度調整具３３は、上部に上板６０を備える箱体５０の中に、ウォームギア８３を備える小回転体８０とウォームホイール７２を備える大回転体７０が組み込まれている。箱体５０の相対する２面には、小回転体８０を組み込むために、溝５１ａを備える孔５１ｂと、溝５２ａを備える孔５２ｂとが対称位置に設けられている。また、箱体５０の他の相対する２面には、大回転体７０を組み込むために、孔５３と孔５４が対称位置に設けられている。
【００２０】
小回転体８０は、両端に小径部８２ａ、８２ｂを備えるウォームギア８３の一端に、調整用のつまみ８１を設けた形状に構成されている。ウォームギア８３の直径は、箱体５０の孔５１ｂ及び孔５２ｂの直径よりも少し小さく形成されている。また、小径部８２ａ及び８２ｂの直径は、箱体５０の溝５１ａ及び５２ａの幅よりも少し小さく形成されている。したがって、小回転体８０は、箱体５０の孔５１ｂ又は孔５２ｂからウォームギア８３を差し込み、少しずらして、小径部８２ａ及び８２ｂを溝５１ａ及び５２ａに嵌め込むことができる。
【００２１】
大回転体７０は、上部にウォームホイール７２が扇状に一部形成され、中央に孔７１が形成されている。そして、この孔７１と箱体５０の孔５３、５４を用いて、ボルト等により箱体５０に取付けることができる。大回転体７０のみを単独で取付けた場合には、大回転体７０は箱体５０内で、孔７１を中心に揺動するような状態となる。
【００２２】
小回転体８０のウォームギア８３は、大回転体７０のウォームホイール７２と噛み合うように形成されている。したがって、小回転体８０と大回転体７０とを同時に箱体５０に組み込んだ場合には、小回転体８０のつまみ８１を回転することにより、箱体５０と大回転体７０とが、孔５３、５４を中心に回転することになる。
【００２３】
そして、溶接等の方法により、支持部３０の上側支持部３１が箱体５０の上部に接続され、下側支持部３２が大回転体７０の下部に接続されているので、角度調整具３３のつまみ８１を回転することにより、上側支持部３１が下側支持部３２に対して角度調整を行うことができる。また、ウォームギア８３を使用して調整しているために、微調整も簡単に行うことができる。
【００２４】
以上の結果、本発明の支持装置は、上側支持部が、下側支持部に対して前後に角度調整可能であり、微調整も可能である。これによって、着用される衣類は、マネキン人形に最適な状態でフィットさせることが可能であり、マネキン人形の微妙な動きや表情を引き出すことができる。その構造は簡単であり安価に製作することができる。また、衣服の着せ替えも簡単に手間取らないで行うことができる。
【図面の簡単な説明】
【００２５】
【図１】本発明の支持装置の一例を示す概略斜視図である。
【図２】マネキン人形を取付けた支持装置の概略説明図である。
【図３】角度調整についての説明図である。
【図４】本発明の支持装置の正面図、側面図及び平面図である。
【図５】角度調整具の斜視図、正面図、側面図及び平面図である。
【図６】角度調整具の各部品図である。
【図７】従来の支持装置を示す概略説明図である。
【符号の説明】
【００２６】
１０、１１０    マネキン人形
２０、１２０    支持装置
３０、１３０    支持部
３１    上側支持部
３２    下側支持部
３３    角度調整具
３４    折り返し部
３５    取付け具
３５ａ、３５ｂ    突起
４０、１４０    スタンド部
４１    支柱
４２    支持台
４３、１５０    締具
５０    箱体
５１ａ、５２ａ    溝
５１ｂ、５２ｂ、５３、５４、７１    孔
６０    上板
７０    大回転体
７２    ウォームホイール
８０    小回転体
８１    つまみ
８２ａ、８２ｂ    小径部
８３    ウォームギア
【図１】
2008188217.tif 000003
【図２】
2008188217.tif 000004
【図３】
2008188217.tif 000005
【図４】
2008188217.tif 000006
【図５】
2008188217.tif 000007
【図６】
2008188217.tif 000008
【図７】
2008188217.tif 000009